(57)【要約】【課題】  釘頭を押えるガイドバーの先端部が連結釘の後尾に引っ掛かるのを防止すると共にノーズ内の打込通路内での釘の浮き上がりを防止する。【解決手段】  マガジンベース１８に対向し、連結釘を収容保持する閉じ位置と連結釘を装填できる開放位置との間で釘送り方向にスライド可能なマガジンカバー２１と、釘送り方向に延び、マガジンベースに向けて接離可能で釘送り方向にも移動可能としてマガジンカバーに取付けられ、連結釘の釘頭又は釘軸部の側面を押えるように付勢された細長い複数本のガイドバー３７とを設け、マガジンカバーを閉じ位置に前進する時にガイドバー先端がマガジンベースとの間に隙間を保って前進させ、マガジンカバーが完全に閉じる時ガイドバーの当接面がノーズのマガジンカバー突当面に当接して後退すると同時にガイドバーの凸部が係合部から外れて、マガジンベースのベース面側に移動するようにした。【選択図】  図１０
2006000987.tif 000002
【特許請求の範囲】
【請求項１】
多数本の釘が並列に板状に連結された連結釘を収容できるように細長く形成され、連結釘の先頭釘をノーズの打込通路に送るよう、ノーズに連結されたマガジンベースと、マガジンベースとの間に連結釘を収容可能な空間を形成し、連結釘を収容した閉じ位置と、連結釘を装填可能な開放位置との間で、マガジンベースにスライド可能に取付けられたマガジンカバーと、マガジンカバーの内側に設けられ、マガジンベースのベース面に向けて摺動可能で、連結釘の釘頭又は釘軸部の側面を押えるように配設された少なくとも１本以上の細長いガイドバーと、マガジンカバー内に設けられ、ガイドバーをマガジンベース側に付勢する付勢手段とを備え、前記マガジンカバーが前記閉じ位置にある時、ガイドバーの先端が連結釘の先頭釘の次以降の釘頭又は釘軸部を押えるようマガジンカバーより長手方向前方に突出するようにした打込機のマガジンユニットであって、
前記ガイドバーは、マガジンカバー内で釘送り方向に摺動可能とし、マガジンカバー後方の付勢手段により、常にはノーズの方向に付勢され、マガジンカバーが開位置に開く時、ガイドバー先端側がマガジンカバー前面よりノーズ側に突出すると共にガイドバー先端部の凸部がマガジンカバーのテーパ面を乗り上げてマガジンカバー先端部の係合部と係合可能とし、ガイドバー先端側がマガジンベースのベース面から隙間を保つよう後退することで、マガジンカバーを閉じ位置に前進する時に、ガイドバー先端がマガジンベースとの間に隙間を保って前進し、マガジンベースにある連結釘の後端釘の軸部を乗り越えることができ、マガジンカバーが完全に閉じる時には、ガイドバーの当接面がノーズのマガジンカバー突当面に当接して相対的に後退すると同時に、ガイドバー先端部の凸部がマガジンカバー先端部の係合部から外れて、マガジンベースのベース面側に突出するようにしたことを特徴とする釘打機のマガジンユニット。
【発明の詳細な説明】
【技術分野】
【０００１】
本発明は、多数本の釘が並列に板状に連結された連結釘を打込む釘打機のマガジンユニットに関するものである。
【背景技術】
【０００２】
多数本の釘が並列に板状に連結された連結釘を打込む釘打機のマガジンユニットは、特許文献１に開示されている。このマガジンユニットは、釘頭押えバーの先端部が連結釘に引っ掛かるのを防止すると共にノーズの打込通路に配置された先頭釘の次の位置にある２番目の釘の頭部が十分押えられず、２番目の釘が先頭釘と同時にドライバによって打撃されて打込通路内で詰まる不具合を解消しようとしている。そのマガジンユニットは、マガジンカバーに釘頭押えバーを有し、マガジンベースに釘頭押えバーと係脱自在のカム部材を固定している。そのカム部材はマガジンベースの後方位置にあり、マガジンベースの最後方位置からマガジンカバーをスライドさせると、釘頭押えバーがカム部材に係合してマガジンベースに収容された連結釘からマガジンカバー側へ一定の距離を保って前進するので、連結釘の後尾の釘軸部を乗り越えることができ、後尾の釘に引っ掛かるのを防止できる。また、マガジンカバーが閉じた状態では釘頭押えバーは係合部の係合から解除されて、先頭釘の次の位置にある２番目の釘の頭部を十分押えることができる。これらによって、釘頭押えバーの先端部が連結釘に引っ掛かるのを防止すると共に次の位置にある２番目の釘が先頭釘と同時にドライバによって打撃されて打込通路内で詰まる不具合を解消する。
【０００３】
【特許文献１】実開平６−４２０７６号公報
【発明の開示】
【発明が解決しようとする課題】
【０００４】
上記特許文献１記載のマガジンユニットにおいては、図１２、図１３に図示したように、連結本数が少ない連結釘が装填された場合、マガジンカバーはマガジンベースの後方位置からスライドして移動する距離が長くなり、このとき釘頭押えバーは、カム部材との距離が離れ、釘頭押えバーの先端がマガジンベースに接触した状態となってしまう。このため、マガジンカバーを閉じるときは、釘頭押えバーが連結釘の後尾の釘軸部を乗り上げて閉じることになる。
【０００５】
従来の仕上げ釘は、太さが約１ミリ以上あるため、釘頭押えバーの先端に一定のテーパ面を設けることで、連結釘の後尾の釘軸部を乗り上げて閉じることに問題はなく、かつマガジンカバーが閉じた状態では釘頭押えバーが、先頭釘の次の位置にある２番目の釘の頭部を十分押えることができた。しかし、図に示したようなピン釘と言われる、太さが約０．８５ミリ以下で、更に特に細い約０．６ミリ径の細い釘の場合、釘頭押えバーの先端に、連結釘の後尾の釘軸部を乗り越えるため一定のテーパ面を設けると、先頭釘の次の位置にある２番目の釘の頭部を十分に押えることができず、次の位置にある２番目の釘が先頭釘と同時にドライバによって打撃されて打込通路内で詰まる不具合が発生するという欠点があった。
【０００６】
本発明の目的は、上記従来の欠点を解消し、ピン釘などの太さ０．６ミリの細い釘で、連結本数が少ない連結釘が装填された場合でも、釘を装填してマガジンカバーを閉じる場合に、釘頭を押えるガイドバーの先端部が連結釘の後尾に引っ掛かるのを防止すると共に先頭釘の次の位置にある２番目の釘の頭部を十分に押えることが可能で、ノーズ内の打込通路内での釘の詰まりを防止しした釘打機のマガジンユニットを提供することである。
【課題を解決するための手段】
【０００７】
上記目的は、多数本の釘が並列に板状に連結された連結釘が収容可能に細長く形成され、連結釘の先頭釘をノーズの打込通路に送るよう、ノーズに連結されたマガジンベースと、マガジンベースとの間に連結釘を収容可能な隙間を有して形成されたマガジンカバーを配設し、マガジンカバーは、連結釘を収容した閉じ位置と、連結釘を装填可能な開放位置との間で、マガジンベースにスライド可能に取付けられ、マガジンカバーの内側には、マガジンベースのベース面に向けて摺動可能で、連結釘の釘頭又は釘軸部の側面を押えるように配設された少なくとも１本以上の細長いガイドバーとを備え、ガイドバーは、マガジンカバー内の付勢手段により、マガジンベース側に常に付勢され、マガジンカバーが前記閉じ位置にあるとき、ガイドバーの先端が連結釘の先頭釘の次以降の釘頭又は釘軸部を押えるようマガジンカバーより長手方向に延び出た打込機のガイドバーであって、前記ガイドバーは、マガジンカバー内で釘送り方向に摺動可能とし、マガジンカバー後方の付勢手段により、常にはノーズの方向に付勢収容され、マガジンカバーが開位置に開くとき、ガイドバー先端側がマガジンカバー前面よりノーズ側に突出すると同時に、ガイドバー先端部の凸部がマガジンカバーのテーパ面を乗り上げて係合部と係合可能とし、ガイドバー先端側がマガジンベースのベース面から隙間を保つよう後退することで、マガジンカバーを閉じ位置に前進するときに、ガイドバー先端がマガジンベースとの間に隙間を保って前進し、マガジンベースにある連結釘の後端釘の軸部を乗り越えることができ、さらに、マガジンカバーが完全に閉じるときには、前記ガイドバーの当接面がノーズのマガジンカバー突当面に当接して相対的に後退すると同時に、ガイドバーの凸部が係合部から外れて、マガジンベースのベース面側に突出し、連結釘の先頭釘の次の釘以降の釘頭全体又は釘軸部を押える構成にすることにより達成できる。
【発明の効果】
【０００８】
本発明に係るマガジンユニットにおいては、ガイドバーをマガジンベース側ならびに釘送り方向に移動可能として、ガイドバーの背面及び後方をばねで付勢し、かつ、ガイドバーの凸部とマガジンカバーの係合部を係合可能とし、マガジンカバーが開いているときは、ガイドバーとマガジンカバーが係合して、ガイドバーがマガジンカバー側に後退してマガジンベースと非接触の隙間を有するよう構成したため、マガジンカバーが閉じ位置に移動するとき、ガイドバー先端部がマガジンベースのベース面との間に隙間を保ってスライド可能なため、ガイドバーの先端部に、連結釘の後尾の釘軸部を乗り越えるためのテーパ面やＲ面等が無くても、マガジンベースにある連結釘の釘軸部を乗り越え可能である。また、マガジンカバーが閉じる直前までガイドバーが、マガジンベースのベース面に隙間を保った状態のため、連結本数が少なく連結長さが非常に短い釘でも、ガイドバーの先端がが連結釘の後端の釘軸に引っ掛かるのを防止できる。また、マガジンカバーが閉じた状態では、ガイドバーの先端部に釘軸部を乗り越えるためのテーパ面等が無いため、先端部がノーズの挿入口に収容されたときに、先頭釘の次の位置にある２番目の釘の頭部及びそれより後方の釘頭全体を十分押えることができ、次の位置にある２番目の釘が先頭釘と同時にドライバによって打撃されて打込通路内で詰まる不具合も解消できる。
【０００９】
これにより、一般的に、ピン釘と言われる、釘の頭と軸の径が同径で、太さが約０．８５ミリ以下で、多数本の釘が並列に板状に連結されて、シート状に形成された連結釘の中でも、更に細い約０．６ミリ径の細い釘の場合であっても、連結が短い時の釘でも装填が容易であり、さらに、先頭釘の次の位置にある２番目の釘の頭部及びその近傍の釘の頭部の押えを確実に押えることができる。
そして、ガイドバー先端に凸部を形成し、対応するマガジンカバーにプラスチックの成形でテーパ面並びに係合部を形成するだけであり、カム部材等の部品を必要としないので、部品点数が増加することがなく、それによって、釘打機のコストの低減及び釘打機の小型化に寄与できる。
【発明を実施するための最良の形態】
【００１０】
本発明釘打機のマガジンユニットの一実施形態を図１〜図１１を用いて説明する。
図１に示すように、マガジンユニット２を有する釘打機は、内部に圧縮空気を収容するハウジング３と、ハウジング３に設けられたハンドル６と、ハンドル６の一端に圧縮空気の供給口７を設け、ハウジング３内にはシリンダ１０を配設し、シリンダ１０内を上下に摺動可能なピストン１１と一体となったドライバ１３を内蔵する。また、ピストン１１は、周知の如く、ハンドル６に設けられたトリガバルブ１５を動作させることにより、上下動するように駆動される。
【００１１】
釘打ち操作は、トリガ１７を操作することでトリガバルブ１５を動作させ、ハウジング３内部の圧縮空気がピストン１１の上面に供給され、ピストン１１をシリンダ１０内で急激に下動させ、ピストン１１に連結されたドライバ１３によって射出部９の打込通路１４内にある釘を打撃し打込対象物に打込む。
【００１２】
本発明の釘打機１に用いられる釘は、多数本の釘が並列に板状に連結されてシート状に形成された連結釘であり、一般にピン釘と呼ばれる、釘頭の径と釘軸部の径がほぼ同じで、太さが約０．８ミリ〜０．６ミリの細い釘が多数本、接着剤等によって並列に板状に連結された連結釘となっている。。連結釘は、ハンドル６とほぼ平行に射出部９に固着されたマガジンユニット２に収容され、マガジンユニット２からノーズ５を経て打込通路１４内に先頭釘が入るように送られる。
【００１３】
マガジンユニット２は、シート状の連結釘を収容し、連結釘の先頭釘をノーズ５内の打込通路１４に送るよう、ノーズ５に連結されたマガジンベース１８と、マガジンベース１８との間に連結釘を収容する空間を形成し、連結釘を収容保持する閉じ位置と連結釘を装填できる開放位置との間でマガジンベース１８の長手方向にスライド可能に取付けられたマガジンカバー２１とで構成される。
【００１４】
図１〜図５において、マガジンカバー２１は閉じ位置にあり、マガジンベース１８との間に連結釘を収容する細長い空間を形成し、マガジンベース１８は、連結釘の軸部が各種の長さの連結釘を収容可能としている。図１に示すように、連結釘２３は、使用可能な最長釘（図では例えば４５ｍｍを示している）を示しており、先頭釘がノーズ５の打込通路１４内に位置するように長く延びている。
【００１５】
図２に示した連結釘２２は、使用可能な最長釘の連結釘２３より軸部の長さが短い（例えば３５ｍｍ）の連結釘となっている。最長釘の連結釘２３とその他短い長さの連結釘２２は選択的に用いられ、共にマガジンベース１８にそれぞれ装填可能とされている。マガジンベース１８には連結釘の釘足先端を収容して案内する釘足ガイド溝２４が形成され、連結釘の収容空間の一部を形成している。マガジンベース１８は、ノーズ５側の端部が連結釘の先頭釘を打込通路１４に送るため、ノーズ５の打込通路１４部分に一体となる様に固着されている。
【００１６】
マガジンベース１８の上縁部と下縁部には、マガジンカバー２１が長手方向にスライド可能にするためのガイド溝が、それぞれガイド溝２７、ガイド溝２５として連結釘と平行して形成され、マガジンカバー２１には、上縁部及び下縁部がマガジンベース１８のガイド溝２７及びガイド溝２５に収容されるガイド部として形成され、マガジンベース１８上を連結釘を収容保持する空間を形成する閉じ位置と連結釘を装填できる開放位置との間でマガジンベース１８の長手方向にスライド可能に取付けられている。
【００１７】
マガジンカバー２１は、閉じ位置において連結釘を収容保持可能に、マガジンベース１８との間で連結釘とほぼ同じ長さの細長い空間を形成される。また、閉じ位置と開放位置との間でマガジンカバー２１の後端には、ロック爪２９が設けられ、マガジンカバー２１が閉じ位置にあるとき、マガジンベース１８の図示しないロック穴の縁部に係合してマガジンカバー２１を閉じ位置にロックし、閉じ位置を保持する。図５に最もよく示すように、ロック爪２９は、ピン３０を中心に旋回自在になっていて、ロックスプリング３１によってロック位置に付勢され、ロックスプリング３１に抗してロック爪２９の後端を押すとマガジンカバー２１のロックを解除できる。
【００１８】
図２〜図６に示すように、マガジンベース１８と、マガジンカバー２１の間の連結釘の収容保持する空間には、連結釘の最後尾の釘を押圧して連結釘の先頭釘をノーズ５の打込通路１４に常時付勢するプッシャ３３が設けられている。プッシャ３３は、マガジンベース１８の釘送り方向に設けられたプッシャガイド溝３５に沿ってガイドされながら、釘送り方向にスライド可能に取付けられている。マガジンベース１８側に配設され、プッシャ３３と一体となったプッシャピース５６が、マガジンベース１８の開口部１８ｃ内に配設されたプッシャガイド５５内をスライドしながら、マガジンベース１８の後端から延びるプッシャスプリング３４によって、ノーズ５内の打込通路１４位置に至るように付勢されている。
【００１９】
また、図３に示すように、プッシャガイド５５は、マガジンカバー２１を開いたときに、マガジンカバー２１と同時に開いて、その内側にあるプッシャスプリング３４をガイドし、マガジンカバー２１が閉じたときにプッシャスプリング３４が、プッシャ３３を確実に付勢可能とするために設けられている。
【００２０】
マガジンベース１８のベース面１８ａには、各ガイドバー３７の対応する位置に、それぞれ一体または個別に溝部１８ｂが形成され、溝部１８ｂと各ガイドバー３７の間には、ガイドバー３７が接触せずに干渉しないで送り可能とするため、プッシャ３全体が連結釘と類似した板状の形状をなし、さらに、複数の凹部３３ａを有した形状としている。このため本発明では、プッシャ３は、板厚０．６ミリの鋼板を、プレスにて凹部３３ａを成形して製作されている。
【００２１】
図２〜図６に示すように、マガジンカバー２１は、マガジンベース１８に対向する内側に、複数本（本実施形態では６本）のガイドバー３７を収納可能としている。各ガイドバー３７は、従来同様に細長い板状の形状をなし、マガジンカバー２１の釘送りの長手方向に延びて、対向するマガジンベース１８に向けて接近したり離れたりできるように、マガジンカバー２１の細長い収容溝３８の中に摺動保持され、マガジンカバー２１内でマガジンカバー２１の釘送りの方向に移動可能に摺動保持され、マガジンカバー２１の前面２１ｃからノーズ５側に突出可能となっている。
【００２２】
マガジンベース１８及びマガジンカバー２１で形成する連結釘を収容する空間は、釘打機１が使用する一番長い釘の連結釘を収容できる幅を有し、その幅方向におけるガイドバー３７及び溝部１８ｂの位置は、その他の短い連結釘（図は６種類の連結釘が収容可能）の頭部面２２ａを押える位置に各々設けられる。マガジンカバー２１内の各ガイドバー３７のマガジンベース１８面との反対側には、板ばね３９が各ガイドバー３７の前後２箇所で、マガジンベース１８側に付勢するように配置され、板ばね３９は、ガイドバー３７がマガジンベース１８上に収容された連結釘釘頭の上方への移動の阻止とガイドを行い、さらに、釘軸部の側面をベース面１８ａ側に押す役目をなしている。また、各ガイドバー３７がマガジンカバー２１から外れないように、収容溝３８の両端には、図６に示す保持部４１、４２が形成され、保持部４１、４２に係合する各保持部３７ｃ、３７ｄがガイドバー３７の対応する位置に形成されている。
【００２３】
図６ならびに図７に示すように、マガジンカバー２１が開いた状態のとき、各ガイドバー３７は、釘送り方向に摺動自在に収容されており、各ガイドバー３７は、ガイドバー３７後方に設けられたスプリング２６により付勢されて先端部４３側に移動し、先端部４３側および当接面３７ａが、マガジンカバー２１の前面２１ｃよりもノーズ５側に突出した状態となるよう構成されている。
【００２４】
図８ならびに図９に示すように、マガジンカバー２１の前面２１ｃ側の前記収容溝３８の各保持部４１には、テーパ面２１ｂから滑らかに繋る一定の平面部を有した係合部２１ａが設けられ、各ガイドバー３７が前方に突出する際、ガイドバー３７の凸部３７ｂが、マガジンカバー２１のテーパ面２１ｂに接触しながら移動すると同時にマガジンカバー２１側に後退させられ、最後は凸部３７ｂが係合部２１ａに乗り上げて係合した状態で停止する。本実施形態では、マガジンカバー２１にテーパ面２１ｂを設けるとしたが、ガイドバー３７にテーパ面を設けることで、ガイドバー３７が滑らかに突出させても良い。これにより、各ガイドバー３７の先端部４３が、マガジンベース１８のベース面１８ａに対して一定の隙間を保った状態で、マガジンカバー２１がスライド可能に構成される。
【００２５】
次に、図６〜図１１により、マガジンカバー２１を後退した状態から閉じ位置にマガジンベース１８上をスライドして閉じるときについて説明する。図９、図１１のように、各ガイドバー３７の先端部４３は、マガジンベース１８のベース面１８ａとの間に一定の隙間を保ってスライドし、その寸法は、マガジンベース１８のベース面１８ａから連結釘の後尾の釘軸部の径ｄを乗り越える高さＤまで離れるように設定される。したがって、マガジンカバー２１が閉じ位置に移動するとき、ガイドバー３７の先端部４３はマガジンベース１８のベース面との間に隙間Ｄを保って前進し、本数が少なく短い連結釘でも、マガジンベース１８にある連結釘の釘軸部を乗り越えることが可能である。
次に、図６、図８に示すように、マガジンカバー２１が完全に閉じるときは、初めにガイドバー３７の当接面３７ａがノーズ５の突当面５ａに突当って、マガジンカバー２１に対し相対的に後退すると同時にガイドバー３７の凸部３７ｂが、マガジンカバー２１の係合部２１ａとの係合が外れる。この時、ガイドバー３７は背面を板ばね３９により付勢されて、マガジンベース１８側に再び突出し、図６ならびに図８に示す状態になる。
【００２６】
各ガイドバー３７は、マガジンカバー２１の前面２１ｃがノーズ５の突当面５ａに当接し閉じた状態において、ノーズ５側に延びる先端部４３が、マガジンカバー２１の前面２１ｃよりノーズ５側に突出して、先頭釘の次の釘及びそれより後方の釘頭全体又は釘軸部を押えることが可能な長さになっており、ノーズ５に形成された打込通路１４への挿入口５ｂに入り込み、マガジンカバー２１が閉じ位置にあるときに先頭釘の次の釘の釘頭の位置まで延びた状態としており、その詳細が図１０に示されている。
【００２７】
次に、図１〜図１１を参照して、使用可能な最長釘よりも短いその他の長さ（本例では３５ミリ）の連結釘２２を使用して、マガジンベース１８に連結釘２２を装填した後マガジンカバー２１をスライド前進させてマガジンユニット２内に連結釘２２を収容保持する動作を説明する。
先ず、図１に示すように、マガジンカバー２１のロック爪２９を解除して、マガジンカバー２１を図１の右側にスライドして開き、マガジンベース１８の連結釘収容空間を開放する。
このとき、各ガイドバー３７は釘送り方向後方にスライドして、マガジンカバー２１の先端側が突出し、ガイドバー３７の凸部３７ｂが、マガジンカバー２１のテーパ面２１ｂに接触しながら移動すると同時に係合部２１ａに乗り上げて係合し、マガジンカバー２１側に後退させられ、各ガイドバー３７の先端部４３は、マガジンベース１８のベース面１８ａに対して一定の隙間Ｄを保った状態で開いている。
【００２８】
次に、細長い連結釘２２を、その釘足先端がマガジンベース１８のガイド溝２５の奥に入るように装填する。その状態で、マガジンカバー２１をノーズ５側すなわち前方にスライドすると、プッシャ３３が連結釘２２の後尾に当接して連結釘２２をノーズ５側に押圧し、連結釘２２の先頭釘をノーズ５内に移動させる。連結釘２２の先頭釘がノーズ５の打込通路１４に入ると連結釘２２の移動は停止するが、マガジンカバー２１のスライドは続いているので、プッシャ３３は、プッシャスプリング３４の収縮によって連結釘２２の後端を付勢しつつそこに留まる。同時に、ガイドバー３７の先端部４３は、図１１に示すように、連結釘２２の後尾の釘の軸部に対面するが、上記したように、マガジンカバー２１が開いた状態では、ガイドバー３７の先端部４３は隙間Ｄをもってマガジンベース１８のベース面１８ａから浮いており、本数が少なく連結長さの短い連結釘の場合においても、ガイドバー３７は釘軸部の径ｄを容易に乗り越えて進むことができる。
【００２９】
次に、マガジンカバー２１が完全に閉じるとき、ガイドバー３７先端の当接面３７ａがノーズ５の突当部５ａに当接し、ガイドバー３７に対し相対的に後退すると同時に凸部３７ｂがマガジンカバー２１の係合部２１ａから移動して係合が外れ、さらに板ばね３９によりガイドバー３７背面が付勢されて、マガジンベース１８のベース面１８ａ側に突出する。このように、マガジンカバー２１が完全に閉じる直前までガイドバー３７が、ベース面１８ａから隙間を保った状態のため、連結本数が少なく連結長さが非常に短い連結釘でも、ガイドバー３７の先端部４３が連結釘の後端の釘軸に引っ掛かかることはない。
【００３０】
以上により、マガジンカバー２１が完全に閉じ位置までスライドしたとき、連結釘２２は、釘軸部側面が各ガイドバー３７により、ベース面１８ａ側に押され、さらに、連結釘２２の頭部面２２ａは、釘軸部と接触していないガイドバー３７により上方への移動が阻止され、ガイドした状態でマガジンベース１８に確実に装填される。この状態が図２に示されている。なお一番長い釘の場合、頭部面２３ａはマガジンカバー２１の上縁部の内壁に接触してガイドされることになる（図１参照）。
【００３１】
次に、図８ならびに図１０に示すように、各ガイドバー３７は、突出した先端部４３がノーズ５側の挿入口５ｂに受入れられているとともに、先端部４３が、マガジンカバー２１の端縁より長手方向に延びており、連結の先頭釘の次の釘及びそれより後方の釘頭又は釘軸部を押えることが可能である。また、釘の軸部と接触していないガイドバー３７の先端部４３は、マガジンベース１８の、ベース面１８ａに沿って、ノーズ５に形成された打込通路１４への挿入口５ｂに入り、先頭釘の次の釘の釘頭の位置まで延びて、先頭釘の次の位置にある２番目の釘の頭部及びそれより後方の釘頭全体を確実に押える姿勢に維持されおり、連結釘の装填時の不具合も無く、さらに次の位置にある２番目の釘が先頭釘と同時にドライバによって打撃されて打込通路内で詰まる不具合は解消される。
【図面の簡単な説明】
【００３２】
【図１】使用可能な最長釘を収容した本発明マガジンユニットを備えた釘打機の一実施形態を示す一部破断正面図。
【図２】その他の短い釘を収容した本発明マガジンユニットを示す一部破断拡大側面図。
【図３】図２のＢ−Ｂ線断面図。
【図４】図２のマガジンカバーを表側から見た側面図。
【図５】図２のマガジンユニットを裏側から見た一部破断側面図。
【図６】図２のＡ−Ａ線断面図。
【図７】図６のマガジンカバーを開いた状態を示す断面図。
【図８】図６の円Ｃの部分拡大図。
【図９】図７の円Ｄの部分拡大図。
【図１０】図８の連結釘をマガジンベースに装填してマガジンカバーをスライドして連結釘を収容し終えた状態を示す断面図。
【図１１】図９の連結釘をマガジンベースに装填してマガジンカバーをスライドして連結釘を収容する途中の状態を示す断面図。
【図１２】従来のマガジンユニットにおいて、連結釘をマガジンベースに装填してマガジンカバーをスライドして連結釘を収容し終えた状態を示す拡大断面図。
【図１３】従来のマガジンユニットにおいて、連結釘をマガジンベースに装填してマガジンカバーをスライドして連結釘を収容する途中の状態を示す拡大断面図。
【符号の説明】
【００３３】
１：釘打機、２：マガジンユニット、５：ノーズ、５ａ：突当面、５ｂ：挿入口、１３：ドライバ、１４：打込通路、１８：マガジンベース、１８ａ：ベース面、１８ｂ：溝部、１８ｃ：開口部、２１：マガジンカバー、２１ａ：係合部、２１ｂ：テーパ面、２１ｃ：前面、２２：その他の短い長さの連結釘、２２ａ：頭部面、２３：使用可能な最長釘の連結釘、２３ａ：頭部面、２４：釘足ガイド溝、２５、２７：ガイド溝、３３：プッシャ、３３ａ：凹部、３４：プッシャスプリング、３５：プッシャガイド溝、３７：ガイドバー、３７ａ：当接面、３７ｂ：凸部、３７ｃ、３７ｄ、４１、４２：保持部、３８：収容溝、３９：板ばね、４３：先端部、５５：プッシャガイド、５６：プッシャピース
【図１】
2006000987.tif 000003
【図２】
2006000987.tif 000004
【図３】
2006000987.tif 000005
【図４】
2006000987.tif 000006
【図５】
2006000987.tif 000007
【図６】
2006000987.tif 000008
【図７】
2006000987.tif 000009
【図８】
2006000987.tif 000010
【図９】
2006000987.tif 000011
【図１０】
2006000987.tif 000012
【図１１】
2006000987.tif 000013
【図１２】
2006000987.tif 000014
【図１３】
2006000987.tif 000015